(57)【要約】【課題】便座を衛生的にきれいに保てる便座機構の提供。【解決手段】便座に回復機構と伝動機構が設けられ、且つ伝動機構の上に遮蔽板が組み合わされ、該回復機構が便座に設置された位置め棒、弾性手段、及び位置め棒に組み付けられた連接棒で組成され、該伝動機構が便座に設置された伝動手段と伝動手段に組み付けられた歯車で組成され、且つ該遮蔽板の両側に溝が開設され、この溝内に歯車と組み合わされるラックが設置され、該伝動手段に台形雄ネジが設けられ、且つ伝動手段と組み合わされる歯車に伝動手段の台形雄ネジと組み合わされる台形雌ネジが設けられ、便座が便座上蓋と便座下蓋で組成され、回復機構により、伝動手段が駆動されて遮蔽板を駆動して遮蔽板を便座上で開閉させる。【選択図】        図３
2004154233.tif 000002
【特許請求の範囲】
【請求項１】
便座機構において、便座に回復機構と伝動機構が設けられ、且つ伝動機構に遮蔽板が組み合わされ、回復機構が伝動機構を駆動し、これにより伝動機構が遮蔽板を駆動して、遮蔽板に便座の中央孔を開閉させる機能を達成させることを特徴とする、便座機構。
【請求項２】
請求項１に記載の便座機構において、回復機構が便座に設置された位置め棒、弾性手段及び位置め棒に組み付けられた連接棒で組成されたことを特徴とする、便座機構。
【請求項３】
請求項１に記載の便座機構において、伝動機構が便座に設置された伝動手段と伝動手段に組み付けられた歯車で組成され、且つ遮蔽板の両側に溝が開設されて、この溝内に歯車と組み合わされるラックが設置されたことを特徴とする、便座機構。
【請求項４】
請求項３に記載の便座機構において、伝動手段に台形雄ネジが設けられ、且つ伝動手段と組み合わされる歯車に伝動手段の台形雄ネジと組み合わされる台形雌ネジが設けられ、この台形雄ネジと台形雌ネジにより、歯車が伝動手段と組み合わされて相対回転を行うことを特徴とする、便座機構。
【請求項５】
請求項１に記載の便座機構において、便座が便座上蓋と便座下蓋で組成されたことを特徴とする、便座機構。
【請求項６】
請求項５に記載の便座機構において、便座上蓋辺縁に係止部が設けられ、且つ便座上蓋に組み合わされる便座下蓋の辺縁に便座上蓋の係止部と係合する係合部が設けられたことを特徴とする、便座機構。
【請求項７】
請求項１に記載の便座機構において、遮蔽板が一組以上設けられたことを特徴とする、便座機構。
【発明の詳細な説明】
【０００１】
【発明の属する技術分野】
本発明は一種の便器に係り、特に、便座に回復機構と伝動機構が設けられ、この伝動機構に遮蔽板が設置され、回復機構により、伝動機構が遮蔽板を駆動させられて遮蔽板が便座にあって開閉を達成する便座機構に関する。
【０００２】
【従来の技術】
図１、２は従来の便器の立体分解図及び従来の便器の立体組合せ図である。図示されるように、従来の便器１は、ボール２と蓋１１、及び便座１２を具えている。蓋１１には凹孔１１１が設けられて蓋１１に組み合わされる便座１２には、蓋１１の凹孔１１１と組み合わされる凸軸１２１が設けられている。
【０００３】
組立時には、蓋板１１の凹孔１１１と便座１２の凸軸１２１が連接された後、さらにボール２の上に設置される。
【０００４】
このような周知の便器１は、男性使用者が排尿する時、便座１２を上げずに排尿するために、便座１２が男性使用者の使用の後に汚れることがよくある。
【０００５】
且つ周知の便器１の便座１２はその中間が中空とされ、ゆえに物品を不注意から便器１上方より落とすと、便座１２の中間よりボール２内に落ちてしまうことがある。
【０００６】
ゆえに周知の物品の発生する各欠点に対して、その改善が求められている。
【０００７】
【発明が解決しようとする課題】
本発明の主要な目的は、男性使用者が排尿する時に、男性使用者に便座を上げることを気づかせる機能を有する便座機構を提供することにある。
【０００８】
本発明の次の目的は、異物がボールに落下するのを防止し且つ外観のよい便座機構を提供することにある。
【０００９】
【課題を解決するための手段】
請求項１の発明は、便座機構において、便座に回復機構と伝動機構が設けられ、且つ伝動機構に遮蔽板が組み合わされ、回復機構が伝動機構を駆動し、これにより伝動機構が遮蔽板を駆動して、遮蔽板に便座の中央孔を開閉させる機能を達成させることを特徴とする、便座機構としている。
請求項２の発明は、請求項１に記載の便座機構において、回復機構が便座に設置された位置め棒、弾性手段及び位置め棒に組み付けられた連接棒で組成されたことを特徴とする、便座機構としている。
請求項３の発明は、請求項１に記載の便座機構において、伝動機構が便座に設置された伝動手段と伝動手段に組み付けられた歯車で組成され、且つ遮蔽板の両側に溝が開設されて、この溝内に歯車と組み合わされるラックが設置されたことを特徴とする、便座機構としている。
請求項４の発明は、請求項３に記載の便座機構において、伝動手段に台形雄ネジが設けられ、且つ伝動手段と組み合わされる歯車に伝動手段の台形雄ネジと組み合わされる台形雌ネジが設けられ、この台形雄ネジと台形雌ネジにより、歯車が伝動手段と組み合わされて相対回転を行うことを特徴とする、便座機構としている。
請求項５の発明は、請求項１に記載の便座機構において、便座が便座上蓋と便座下蓋で組成されたことを特徴とする、便座機構としている。
請求項６の発明は、請求項５に記載の便座機構において、便座上蓋辺縁に係止部が設けられ、且つ便座上蓋に組み合わされる便座下蓋の辺縁に便座上蓋の係止部と係合する係合部が設けられたことを特徴とする、便座機構としている。
請求項７の発明は、請求項１に記載の便座機構において、遮蔽板が一組以上設けられたことを特徴とする、便座機構としている。
【００１０】
【発明の実施の形態】
本発明は一種の便座機構を提供し、本発明によると、便座に回復機構と伝動機構が設けられ、且つ伝動機構に遮蔽板が組み合わされ、該回復機構が便座に設置された位置め棒、弾性手段、及び位置め棒に組み付けられた連接棒で組成され、該伝動機構が便座に設置された伝動手段と伝動手段に組み付けられた歯車で組成され、且つ該遮蔽板の両側に溝が開設され、この溝内に歯車と組み合わされるラックが設置され、該伝動手段に台形雄ネジが設けられ、且つ伝動手段と組み合わされる歯車に伝動手段の台形雄ネジと組み合わされる台形雌ネジが設けられ、便座が便座上蓋と便座下蓋で組成され、回復機構により、伝動手段が駆動されて遮蔽板を駆動して遮蔽板を便座上で開閉させる。
【００１１】
【実施例】
図３、４、５、６は本発明の便座機構を示し、図示されるように、本発明は、便座３に回復機構３１と伝動機構３２が設けられ、且つこの伝動機構３２に遮蔽板３３が組み合わされ、該回復機構３１が便座３に設置された位置め棒３１１、弾性手段３１２、及び位置め棒３１１に組み付けられた連接棒３１３で組成され、該伝動機構３２が便座３に設置された伝動手段３２１と伝動手段３２１に組み付けられた歯車３２２で組成され、且つ該遮蔽板３３の両側に溝３３１が開設され、この溝３３１内に歯車３２２と組み合わされるラック３３２が設置され、該伝動手段３２１に台形雄ネジが設けられ、且つ伝動手段３２１と組み合わされる歯車３２２に伝動手段３２１の台形雄ネジと組み合わされる台形雌ネジが設けられ、台形雄ネジと台形雌ネジにより、歯車３２２が伝動手段３２１に組み合わされて相対回転する。
【００１２】
位置め棒３１１は枢接部３１１ａと嵌入部３１１ｂで組成され、そのうち、嵌入部３１１ｂは中間に溝３１１ｃが開設された錐形柱体とされる。
【００１３】
該便座３は便座上蓋３４と便座下蓋３５で組成され、該便座上蓋３４の辺縁に係止部３４１が設けられて、便座上蓋３４に組み合わされる便座下蓋３５の辺縁には便座上蓋３４の係止部３４１と係合する係合部３５１が設けられ、係止部３４１と係合部３５１により、便座上蓋３４が便座下蓋３５と相互に組み合わされ、並びに外観を良くする機能を達成する。
【００１４】
組立時には、弾性手段３１２が位置め棒３１１の枢接部３１１ａに組み付けられた後、さらに位置め棒３１１の嵌入部３１１ｂが該嵌入部３１１ｂに開設された溝３１１ｃが連接棒３１３に開設された凹孔３１３ａ内に圧入されることにより、位置め棒３１１が便座上蓋３４に組み付けられ、位置め棒３１１に設置された枢接部３１３ｂが遮蔽板３３に開設された滑り溝３３３中に枢接される。便座上蓋３４に組み付けられた伝動手段３２１が遮蔽板３３に開設された滑り溝３３３を貫通し並びに伝動手段３２１の台形雄ネジと歯車３２２の台形雌ネジにより、歯車３２２が遮蔽板３３に開設された溝３３１内に組み付けられ、並びに歯車３２２が該溝３３１内に設置されたラック３３２と組み合わされる。最後に、便座下蓋３５の辺縁に設置された係合部３５１が便座上蓋３４の係止部３４１と組み合わされる。
【００１５】
図５に示されるのは遮蔽板作動前の組合せ断面図であり、図示されるように、この状態（即ち平常の状態）で、該遮蔽板３３は便座３にあって閉じた状態とされる。ゆえに、男性使用者が使用前に、便座３が遮蔽板３３により遮蔽されているために、使用するためには必ず便座３を持ち上げて使用しなければならず、こうして便座３を衛生的に、きれいに保持できる。
【００１６】
図６は遮蔽板作動時の組合せ断面図であり、使用者が便座３を使用する状態を示し、便座上蓋３４が使用者の下圧により作動する時、便座上蓋３４の位置め棒３１１が下向きに作動し、これと同時に、位置め棒３１１の枢接部３１１ａに組み付けられた弾性手段３１２が便座上蓋３４の下向きの作動及び連接棒３１３の作用により圧縮され、且つ便座上蓋３４に組み付けられた伝動手段３２１もまた便座上蓋３４の下向きの作動により下に移動し、これと同時に、伝動手段３２１の歯車３２２が伝動手段３２１の台形雄ネジと歯車３２２の台形雌ネジの相互作用により一方で回転し、また一方で上向きに作動し、且つまた該歯車３２２が遮蔽板３３に開設された溝３３１内に組み付けられているため、溝３３１内に設置されて歯車３２２と組み合わされたラック３３２により、歯車３２２が一方で回転し、また一方で上向きに作動する時、二つの遮蔽板３３が滑り溝３３３により一方で外向きに移動しまた一方で上向きに作動し、これにより、遮蔽板３３が便座３にあって徐々に開く。
【００１７】
使用者が便座３を不使用の時、便座上蓋３４は使用により圧縮された弾性手段３１２の弾性回復作用により上向きに作動し、これと同時に、遮蔽板３３が弾性手段３１２の弾性回復を受けて、連接棒３１３に作用し、これにより連接棒３１３が下向きに作動して歯車３２２を駆動して下向きに作動させ、これと同時に、伝動手段３２１の台形雄ネジと歯車３２２の台形雌ネジの相互作用により、歯車３２２が一方で下向きに作動しまた一方で回転し、且つ該歯車３２２が遮蔽板３３に開設された溝３３１内に組み付けられているため、溝３３１内に設置されて歯車３２２に組み付けられたラック３３２により、該歯車３２２が一方で下に作動しまた一方で回転する時に、二つの遮蔽板３３を駆動し、滑り溝３３３により一方で内に移動させまた一方で下向きに作動させ、これにより該遮蔽板３３を便座３において徐々に閉じさせ、最後に図５に示される状態となす。
【００１８】
上述の構造中、遮蔽板３３は一組以上が設置されるのがよい。
【００１９】
【発明の効果】
ゆえに、便座３の設計により、物品が不注意から便座３上方よりボール４内に落ちるのを防止できる。且つ遮蔽板３３の設計により、便座３に従来の便器に設置された蓋板１１を設ける必要がなくなり、物品の不注意による便器内への落下と、外観を良くする効果を共に達成できる。
【００２０】
総合すると、本発明の提供する便座機構は、確実に特許の要件に符合している。
【図面の簡単な説明】
【図１】周知の便器の立体分解図である。
【図２】周知の便器の立体組合せ図である。
【図３】本発明の立体分解図である。
【図４】本発明の立体組合せ図である。
【図５】図４のＡ−Ａ断面で示される遮蔽板作動前の状態表示図である。
【図６】図４のＡ−Ａ断面で示される遮蔽板作動時の状態表示図である。
【符号の説明】
１  便器          １１  蓋板
１１１  凹孔      １２  便座
１２１  凸軸      ２  ボール
３  便座          ３１  回復機構
３１１  位置め棒  ３１１ａ  枢接部
３１１ｂ  嵌入部  ３１１ｃ  溝
３１２  弾性手段  ３１３  連接棒
３１３ａ  凹孔    ３１３ｂ  枢接部
３２  伝動機構    ３２１  伝動手段
３２２  歯車      ３３  遮蔽板
３３１  溝        ３３２  ラック
３３３  滑り溝    ３４  便座上蓋
３４１  係止部    ３５  便座下蓋
３５１  係合部    ４  ボール
【図１】
2004154233.tif 000003
【図２】
2004154233.tif 000004
【図３】
2004154233.tif 000005
【図４】
2004154233.tif 000006
【図５】
2004154233.tif 000007
【図６】
2004154233.tif 000008